(57)【要約】      （修正有）【課題】ナスカン具に小物を引っ掛けて取り付けたり又はナスカン具から小物を取り外したりといった使用時の利便性を向上させることができるナスカン具を提供する。【解決手段】ベースフレーム部１１と、吊り下げ使用の状態を基準としたとき、ベースフレーム部の下部から正面方向上向きに立ち上がるように設けられたフック部１２と、ベースフレーム部の上部に固定され下向きに設けられると共にバネの力でフック部に当接しうる固定片部１３と、ベースフレーム部の上部に設けられ鞄やその他の各所にベースフレーム部を吊り下げ可能な吊り下げ部１４とを備えたナスカン具において、固定片部の下端片部に装着されて、回動可能にフック部に当接する回動当て具１６を備える小物のスムーズな取り付け、取り外しが可能となる。【選択図】図１
0003212535.tif 000002
【実用新案登録請求の範囲】
【請求項１】
ベースフレーム部と、吊り下げ使用の状態を基準としたとき、前記ベースフレーム部の下部から正面方向上向きに立ち上がるように設けられたフック部と、前記ベースフレーム部の上部に固定され下向きに設けられると共にバネの力で前記フック部に当接しうる固定片部と、前記ベースフレーム部の上部に設けられ鞄やその他の各所に前記ベースフレーム部を吊り下げ可能な吊り下げ部とを備えたナスカン具において、
前記固定片部の下端片部に装着されて、回動可能に設けられ前記フック部に当接する回動当て具を備えることを特徴とするナスカン具。
【請求項２】
前記回動当て具は、円筒状に形成されていることを特徴とする請求項１に記載のナスカン具。
【請求項３】
前記回動当て具は、断面略半円状に形成されていることを特徴とする請求項２に記載のナスカン具。
【請求項４】
前記回動当て具は、中心部で外径が最大となり、中心部から離れるにつれて次第に外径が小さくなるように形状が設定されていることを特徴とする請求項２に記載のナスカン具。
【請求項５】
前記固定片部の回動当て具は、中心部から両端部に至るまで同一の外径が設定されていることを特徴とする請求項２に記載のナスカン具。
【請求項６】
前記回動当て具は、球状に形成されていることを特徴とする請求項１に記載のナスカン具。
【考案の詳細な説明】
【技術分野】
【０００１】
本考案は、小物を引っ掛けて取り付けた状態で鞄やその他の各所に吊り下げることにより、小物を持ち運べるようにしたナスカン具に関する。
【背景技術】
【０００２】
従来、ナスカン具としては、強度を維持しながらナスカン具の軽量化を図ることを目的とし、全体を支持するベースフレーム部、物品を引っ掛けるフック部、ナスカン具を吊り下げて持ち運べるようにする吊り下げ部などを金属片から一体成形可能な構造としたナスカン具が提案されている（特許文献１）。なお、このナスカン具は、アルミニウム板やアルミニウム合金板からプレス成型され製造されている。
【先行技術文献】
【特許文献】
【０００３】
【特許文献１】特開２０１１−２５０８６６号公報
【考案の概要】
【考案が解決しようとする課題】
【０００４】
特許文献１に示されるナスカン具をはじめ、今日多くのナスカン具が普及している。ナスカン具は、日常の生活で多用されており、その使い勝手の向上が望まれている。
【０００５】
特に、ナスカン具に小物を引っ掛けて取り付けたり又はナスカン具から小物を取り外したりといった使用時の利便性を向上させることができれば、日常の生活がより便利なものとなる。
【０００６】
本考案は上記事情に鑑みてなされたもので、ナスカン具に小物を引っ掛けて取り付けたり又はナスカン具から小物を取り外したりといった使用時の利便性を向上させることができるナスカン具を提供することを課題とする。
【課題を解決するための手段】
【０００７】
上述した課題を解決するため、請求項１に記載の考案は、ベースフレーム部と、吊り下げ使用の状態を基準としたとき、前記ベースフレーム部の下部から正面方向上向きに立ち上がるように設けられたフック部と、前記ベースフレーム部の上部に固定され下向きに設けられると共にバネの力で前記フック部に当接しうる固定片部と、前記ベースフレーム部の上部に設けられ鞄やその他の各所に前記ベースフレーム部を吊り下げ可能な吊り下げ部とを備えたナスカン具において、前記固定片部の下端片部に装着されて、回動可能に設けられ前記フック部に当接する回動当て具を備えることを特徴とする。
【０００８】
固定片部のバネの力は、この固定片部を捻って復元力を蓄積し、この復元力を蓄積した状態で保持することより実現しうる。
【０００９】
請求項２に記載の考案は、請求項１に記載の構成に加え、前記回動当て具は、円筒状に形成されていることを特徴とする。
「円筒状」は、横断面円環状のほか、横断面略半円状や四角形又はその他の多角形も含む概念である。
【００１０】
請求項３に記載の考案は、請求項２に記載の構成に加え、前記回動当て具は、断面略半円状に形成されていることを特徴とする。
【００１１】
請求項４に記載の考案は、請求項２に記載の構成に加え、前記回動当て具は、中心部で外径が最大となり、中心部から離れるにつれて次第に外径が小さくなるように形状が設定されていることを特徴とする。
例えば、回動当て具の形状は、樽型やそろばんの珠型などである。
【００１２】
請求項５に記載の考案は、請求項２の構成に加え、前記固定片部の回動当て具は、中心部から両端部に至るまで同一の外径が設定されていることを特徴とする。
【００１３】
請求項６に記載の考案は、請求項１の構成に加え、前記回動当て具は、球状に形成されていることを特徴とする。
【考案の効果】
【００１４】
請求項１に記載の考案に係るナスカン具は、ベースフレーム部と、吊り下げ使用の状態を基準としたとき、前記ベースフレーム部の下部から正面方向上向きに立ち上がるように設けられたフック部と、前記ベースフレーム部の上部に固定され下向きに設けられると共にバネの力で前記フック部に当接しうる固定片部と、前記ベースフレーム部の上部に設けられ鞄やその他の各所に前記ベースフレーム部を吊り下げ可能な吊り下げ部とを備えている。
【００１５】
このため、固定片部に指を押し当て又は小物の例えばリング状の部分を押し当て、固定片部をナスカン具の裏面側に向かって押し込むことにより、固定片部とフック部のバネの力による互いの接触が解除されて開口が形成される。
【００１６】
そして、形成された開口に小物のリング状の部分などを通し、フック部に小物を引っ掛けた状態とすることができる。この状態で、固定片部の押し込みをやめると、固定片部に付勢力が与えられているので、固定片部はフック部と再び当接して開口が閉じ、小物が脱落不能に取り付けられる。
そして、ナスカン具の吊り下げ部をランドセルなどに吊り下げて、そのランドセルと共に小物を持ち運ぶことができる。
【００１７】
また、請求項１に記載の考案に係るナスカン具は、前記固定片部の下端片部に装着されて、回動可能に設けられ前記フック部に当接する回動当て具を備えている。
従って、下端片部には円筒状の回動当て具が装着されており、固定片部とフック部の間に回動当て具が介在する。
【００１８】
このため、請求項１に記載の考案に係るナスカン具にあっては、小物を取り付ける際、小物のリング状の部分などが回動当て具とフック部とで挟み込まれた状態となっても、この状態で小物を下方に引き下げることで小物と接触している回動当て具が回動し、小物が下方のフック部までスムーズに案内される。
【００１９】
これに対し、従来のナスカン具にあっては、小物を取り付ける際、小物のリング状の部分などが固定片部とフック部とで挟み込まれた状態となると、摩擦力に対向して小物を下方に半ば強引に引き下げてフック部に小物を案内する必要がある。
【００２０】
即ち、請求項１に記載の考案によれば、従来のナスカン具のように摩擦力に対向して小物を下方に半ば強引に引き下げることなく、小物をスムーズにフック部に案内し引っ掛けることができる。
【００２１】
さらに、請求項１に記載の考案に係るナスカン具にあっては、小物を取り外す際、小物のリング状の部分が回動当て具とフック部とで挟み込まれた状態となっても、この状態で小物を上方に引き上げることで小物と接触している回動当て具が回動し、小物がフック部までスムーズに上方へ案内される。
【００２２】
これに対し、従来のナスカン具から小物を取り外すには、固定片部に指を押し当てて固定片部をナスカン具の裏面側に向かって押し込み、固定片部とフック部の互い距離を小物が通過できるまで大きく開口させる必要がある。
【００２３】
従って、請求項１に記載の考案によれば、ナスカン具に小物を引っ掛けて取り付けたり又はナスカン具から小物を取り外したりといった使用時の利便性を向上させることができる。
【００２４】
請求項２に記載の考案に係るナスカン具は、請求項１に記載の構成に加え、前記回動当て具が円筒状に形成されていることから回動当て具が確実に回動し、請求項１の効果をより確実に得ることができる。
【００２５】
請求項３に記載の考案に係るナスカン具は、請求項２に記載の構成に加え、前記回動当て具が断面略半円状に形成されていることから、重心の偏りによって円弧の部分が下を向きやすく、フック部から回動当て具が離れやすい。従って、小物が回動当て具を通過しやすくなり、フック部に引っ掛かりやすいものとなる。
【００２６】
請求項４に記載の考案に係るナスカン具は、請求項２に記載の構成に加え、前記固定片部の回動当て具は、中心部で外径が最大となり、中心部から離れるにつれて次第に外径が小さくなるように形状が設定されている。
このため、回動当て具や固定片部が多少歪んでも、常に最大径を有する回動当て具の中心部がフック部と当接した状態となる。即ち、回動当て具又は小物とフック部とが互いに点接触となる。
【００２７】
従って、請求項４に記載の考案によれば、回動当て具或いは小物とフック部とが互いに点接触となるため、小物を取り付けたり又は取り外したりしやすいものとなり、請求項２に記載の効果を高めることができる。
【００２８】
請求項５に記載の考案に係るナスカン具は、請求項２に記載の構成に加え、前記固定片部の回動当て具は、中心部から両端部に至るまで同一の外径が設定されているため、例えば、請求項４に記載の回動当て具と比較し、成形加工の工程を削減され製造コストの低減に有利となる。
【００２９】
請求項６に記載の考案に係るナスカン具は、請求項１に記載の構成に加え、前記回動当て具が球状に形成されている。このため、回動当て具と小物が互いに点接触となるため、小物を取り付けたり又は取り外したりしやすいものとなる。加えて、回動当て具の全体が球面であることから、他の形状に比べて応力変形が生じ難いものとなり、長期間の利用に有利となる。
【図面の簡単な説明】
【００３０】
【図１】図１は本考案に係るナスカン具の一実施形態を示す図であり、ナスカン具の斜視図である。
【図２】図２は本考案に係るナスカン具の一実施形態を示す図であり、（ａ）はランドセルに吊り下げられたナスカン具の正面図、（ｂ）はランドセルに吊り下げられたナスカン具の側面図である。
【図３】図３は本考案に係るナスカン具の一実施形態を示す図であり、ナスカン具の固定片部及び回動当て具の斜視図である。
【図４】図４は本考案に係るナスカン具の動きを示す模式図であり、（ａ）は小物取り付け時の動きを示す模式図、（ｂ）は取り外し時の動きを示す模式図である。
【考案を実施するための形態】
【００３１】
添付図面を参照して、本考案に係るナスカン具を実施形態に基づき詳細に説明する。
図１は本実施形態のナスカン具の斜視図である。
本実施形態のナスカン具１０は、図１に示すように、ベースフレーム部１１と、吊り下げ使用の状態を基準としたとき、ベースフレーム部１１の下部から正面方向上向きに立ち上がるように設けられたフック部１２と、ベースフレーム部１１の上部に固定され下向きに設けられると共にバネの力でフック部１２に当接しうる固定片部１３と、ベースフレーム部１１の上部に設けられ鞄やその他の各所にベースフレーム部１１を吊り下げ可能な吊り下げ部１４とを備えている。
【００３２】
また、ベースフレーム部１１は縦長略楕円形状に形成され、固定片部１３はベースフレーム部１１の空隙内に配置される大きさに形成されると共に下端部が裏面方向に回動してベースフレーム部１１よりも裏面側に移動可能に形成されている。
【００３３】
そして、ベースフレーム部１１の上部に配設されて固定片部１３の上端部を回動可能に固定し、固定片部１３に対して常時正面方向へ付勢する付勢力を付与しうる付勢部２０を有する基部１５を備えている。
【００３４】
ナスカン具１０は、小物を引っ掛けて取り付けた状態で鞄やその他の各所に吊り下げることにより、小物を持ち運べるようにしたものである。なお、各構成部材は、いずれも同種の金属により構成されている。
【００３５】
以下、ナスカン具１０をランドセルに吊り下げた例に基づき、吊り下げ使用の状態を基準として説明する。
図２（ａ）はランドセル３０の取り付けリング輪３１に吊り下げられたナスカン具１０の正面図であり、図２（ｂ）は同状態のナスカン具１０の側面図である。
【００３６】
図２（ａ）及び（ｂ）に示すように、ナスカン具１０の吊り下げ部１４がランドセル３０の側方に設けられた取り付け輪３１に保持されることにより、吊り下げ部１４と連結されたベースフレーム部１１がランドセル３０の側方で吊り下げられた状態となる。
【００３７】
ベースフレーム部１１は、図２（ａ）に示すように、上下方向の軸回りの回転を抑えて常にフック部１２が正面を向くように、ランドセル３０の面方向に広がる縦長略楕円形状の環状に形成されている。
【００３８】
吊り下げ部１４は、ベースフレーム部１１の上部に溶接により固定されている。これにより、ベースフレーム部１１と吊り下げ部１４は、互いに回転しないようになり、フック部１２が正面を向いた状態を維持しうるようになっている。
【００３９】
フック部１２は、ベースフレーム部１１の下部に溶接により固定され、図２（ｂ）に示すように、正面方向に向かって延びた後に上方向に向きを変えて形成されて側面Ｌ字状に形成され、正面方向上向きに立ち上がるように設けられている。
【００４０】
固定片部１３は、図２（ｂ）に示すように、ベースフレーム部１１の上部において支持されて下向きに設けられており、バネの力でフック部１２に当接しうるように設けられている。
【００４１】
図３はナスカン具の固定片部１３及び回動当て具１６の斜視図である。
固定片部１３は、図３に示すように、全体略縦長長方形枠状に形状が設定された金属性の線材を用いて構成されている。
この固定片部１３は、捻りによる復元力を蓄積し、この復元力を蓄積した状態で、図２（ｂ）に示すように、上端部１８，１８が基部１５に形成された挿通孔部である付勢部２０に挿通保持されている。基部１５は、ベースフレーム部の上端部に配設されている。
【００４２】
固定片部１３は、基部１５の付勢部２０によって常時正面方向へ付勢する付勢力が付与されており、この付勢力は捻り形状が正面方向に戻ろうとする復元力により生じている。
なお、固定片部１３の上端部１８，１８は、図３に示すように、捻りによる付勢力が生じやすいよう、正面方向又は裏面方向にやや曲げられた形状並びに上下方向に異なる長さ寸法を有している。
【００４３】
また、固定片部１３は、図２（ａ）及び（ｂ）に示すように、ベースフレーム部１１の空隙１７内に配置される大きさに形成されており、固定片部１３の下端部１９が裏面方向に回動してベースフレーム部１１よりも裏面側に移動可能に形成されている。
【００４４】
回動当て具１６は、図３に示すように、全体略縦長長方形枠状の固定片部１３の下端片部において、回動自在に挿通により装着されている。
この回動当て具１６は、中心部２１で外径が最大となり、中心部から離れるにつれて次第に外径が小さくなって端部２２で外径が最小となる樽型の形状に設定されている。
【００４５】
次にナスカン具１０の効果を説明する。
本実施形態のナスカン具１０は、図２（ａ）に示すように、固定片部１３がベースフレーム部１１の空隙１７内に配置される大きさに形成されると共にその下端部１９が裏面方向に回動してベースフレーム部１１よりも裏面側に移動可能に形成されている。
【００４６】
これに対し、従来のナスカン具は、特許文献１に示されるように製造性の観点からベースフレーム部の内方に縦桟を持つ構成となっており、このような従来の構成に比べて固定片部１３の裏面方向への可動域が大きく確保される。
【００４７】
本実施形態のナスカン具１０にあっては、固定片部１３に回動当て具１６が装着され且つ固定片部１３の下端部１９の長さ寸法未満であることから、図４（ａ）及び（ｂ）に示すように、回動当て具１６がベースフレーム部１１よりも裏面側に移動可能となる。
【００４８】
このため、ナスカン具１０によれば、固定片部１３の押し込みによる固定片部１３や回動当て具１６の可動域が広がり、固定片部１３や回動当て具１６とフック部１２の互いの離間距離を大きく確保できる。その結果、厚さ太さの大きい小物を無理なく引っ掛けて取り付けることができる。
【００４９】
従って、ナスカン具に小物を引っ掛けて取り付けたり又はナスカン具１０から小物を取り外したりといった使用時の利便性を向上させることができる。
【００５０】
また、ナスカン具１０にあっては、固定片部１３とフック部１２の間に回動当て具１６が介在している。
このため、ナスカン具１０にあっては、小物を取り付ける際、図４（ａ）に示すように小物の例えばリング状部３２などが回動当て具１６とフック部１２とで挟み込まれた状態となっても、この状態で小物を下方に引き下げることで小物のリング状部３２と接触している回動当て具１６が回動し、小物が下方のフック部１２までスムーズに案内されるようになっている。
なお、小物のリング状部３２は、模式図であり、ナスカン具１０に引っ掛けて取り付けられる対象物の断面形状に制限はない。
【００５１】
従って、ナスカン具１０によれば、小物のリング状部３２をスムーズにフック部１２の底まで案内し引っ掛けることができる。
【００５２】
同様に、ナスカン具１０にあっては、小物を取り外す際、図４（ｂ）に示すように小物のリング状部３２を上方向に引き上げる。このとき、小物のリング状部３２が回動当て具１６とフック部１２とで挟み込まれた状態となっても、この状態で小物を上方に引き上げることで小物と接触している回動当て具１６が回動し、小物がフック部１２までスムーズに上方へ案内される。
【００５３】
よって、ナスカン具１０によれば、ナスカン具１０に小物を引っ掛けて取り付けたり又はナスカン具１０から小物を取り外したりといった使用時の利便性を更に向上させることができる。
【００５４】
以上、本考案に係るナスカン具を１つの実施形態に基づき説明してきたが、具体的な構成については、本実施形態に限られるものではなく、特許請求の範囲に記載の考案の要旨を逸脱しない限り変更や追加等は許容される。
【００５５】
例えば、ナスカン具の回動当て具は、中心部から両端部に至るまで一様な外径が設定されるものでもよい。この形状の場合、本実施形態の回動当て具と比較し、成形加工の工程を削減され製造コストの低減に有利となる。
【００５６】
また、ナスカン具のベースフレーム部、フック部、吊り下げ部、及び基部は、溶接によって固定する例を示したが、これらの各構成部材を一体成形したものでもよい。
【００５７】
また、ナスカン具のベースフレーム部、フック部、吊り下げ部、基部、固定片部、及び回動当て具は、いずれも同種の金属により構成される例を示したが、これらの構成を合成樹脂やその他の剛性材により構成してもよい。
合成樹脂により構成した場合は、金属により構成した場合と比較して軽量化に有利となる。また、金属で構成する場合は、表面にニッケルめっきなどを施して耐食性を高めることが長期使用の観点から好ましい。
【産業上の利用可能性】
【００５８】
本考案に係るナスカン具は、背負い式、手提げ式、及び肩掛け式の鞄類のほか、車両、建築物、その他の各所に吊り下げて使用でき、小物を引っ掛けて取り付け可能なフック部や固定片部を有するものであれば広く適用できる。
【符号の説明】
【００５９】
１０…ナスカン具
１１…ベースフレーム部
１２…フック部
１３…固定片部
１４…吊り下げ部
１５…基部
１６…回動当て具
１７…ベースフレーム部の空隙
１８…固定片部の上端部
１９…固定片部の下端部
２０…基部の付勢部
２１…回動当て具の中心部
２２…回動当て具の端部
３０…ランドセル
３１…ランドセルの取り付け輪
３２…小物のリング状部
【図１】
0003212535.tif 000003
【図２】
0003212535.tif 000004
【図３】
0003212535.tif 000005
【図４】
0003212535.tif 000006